(57)【要約】【課題】  メインウェル部が合成樹脂製の汎用気化器について、部品間の組み付けを確実なものとしながら、ドレンを水平面上の任意の向きに変更・固定できるようにして、汎用性の高いものとする。【解決手段】  メインウェル部３Ａが樹脂製でチャンバ４Ａとドレン機構５Ａとが別体の汎用気化器１Ａにおいて、チャンバ４Ａ底壁の排出孔４４，４４から排出した燃料を一旦溜める貯留室５１を有する容器部５ａと、貯留室５１を外部に連通させるドレン通路５５およびこれを開閉するネジ５０を有するドレン部５ｂとを備えたドレン機構５Ａが、一本のネジ５０で容器部５ａの中央部分をチャンバ４Ａ底壁中央位置に螺着されて容器部５ａの開口端上面がチャンバ４Ａ底面に密着して内部を気・液密とされ、ネジ５０を緩めた状態でこれを中心に回動自在とされてドレン通路５５の水平面上の向きを任意に設定できるものとした。【選択図】      図１
2006291857.tif 000002
【特許請求の範囲】
【請求項１】
定燃料室を形成するチャンバ内に垂設されるメインウェル部が樹脂製であり、前記チャンバとドレン機構とが別体とされている汎用気化器において、
前記チャンバ底壁の排出孔から排出した燃料を一旦溜めるための上面を開口した貯留室を形成する容器部と、この容器部に延設され前記貯留室を外部に連通させるドレン通路およびこれを開閉する開閉手段を有するドレン部と、を備えたドレン機構が、前記チャンバ底壁の内側から挿通された一本のネジで前記容器部の略中央部分を前記チャンバ底壁略中央位置に螺着され、前記容器部の開口端上面が前記チャンバ底面に密着して内部を気・液密とされており、前記ネジを緩めた状態で該ネジを中心軸として回動自在とされるとともに、前記ドレン通路の水平面上の向きを任意に設定できるものとされていることを特徴とする汎用気化器。
【請求項２】
前記容器部の開口端上面と該開口端上面が密着するチャンバ底面との間に、シール部材が配設されていることを特徴とする請求項１に記載した汎用気化器。
【請求項３】
前記容器部は略円柱状とされ、開口端が平面視略円形であることを特徴とする請求項１または２に記載した汎用気化器。
【請求項４】
前記ドレン機構は、前記チャンバ内側から底壁を貫通した前記ネジが、前記貯留室の略中央部分に設けたネジ孔に螺入することで前記チャンバ底壁に固定されることを特徴とする、請求項１，２または３に記載した汎用気化器。
【発明の詳細な説明】
【技術分野】
【０００１】
本発明は、汎用気化器に関し、殊に、定燃料室に挿設したメインウェル部が合成樹脂製の汎用気化器に関する。
【背景技術】
【０００２】
従来より、汎用気化器は発電機用や芝刈り機用など、多種多様のエンジンに搭載されることから、その機能に様々なバリエーションが要求されている。その要求の一つとして定燃料室から余分な燃料を排出するためのドレンの向きを水平方向のどの角度にでも対応可能とすることがある。
【０００３】
これは、エンジンの種類によって気化器の取り付け位置および構造が異なることに対応して燃料を排出可能とするとともに、ドレンの開閉操作が可能な空間にドレンを向けることができれば、少ない種類の気化器で多種類のエンジンに対応できるようになり、その搭載において汎用性が向上するからである。
【０００４】
そして、このような汎用気化器が、例えば特開平６−２２９３１７号公報に記載されている。このものは、図４（Ａ）に示すように、気化器１Ｂの本体２Ｂおよびメインウェル部３Ｂには、アルミニウムなどの金属ダイカスト成型品が用いられて、これらが一体となっているもので、チャンバ４Ｂ（定燃料室容器）底壁中心を下から貫通したボルト３０でメインウェル部３Ｂ下端に螺入して、チャンバ４Ｂを本体側に固定するものが一般的である。
【０００５】
このように、チャンバ４Ｂの底壁中心を下から一本のボルト３０で貫通してチャンバ４Ｂをメインウェル部３Ｂおよび本体２Ｂ側に固定するようにしたことで、図４（Ｂ）の底面図に示すように、チャンバ４Ｂはボルト３０を緩めた状態でボルト３０を中心軸として回動自在とすることができる。従って、チャンバ４Ｂと一体のドレン機構５Ｂのドレン通路５５ｄを、任意の向きに調整してからボルト３０で固定することで、搭載するエンジン形状に合致したドレンの向きとすることが可能である。
【０００６】
一方、近年においては、特開２００１−２７１５４号公報などに記載されているように、軽量化や製作容易性、或いは製造コストの観点から、メインウェル部をはじめとする各部品に合成樹脂成型品が使用されるようになった。しかし、合成樹脂製のものは金属製のものに比べて機械的強度に劣るとともに、部品間の接合部が緩みやすいという点が問題となりやすい。
【０００７】
そのため、図５（Ａ）に示すように、メインウェル部３Ｃが合成樹脂製で金属製の本体２Ｃと別体となっている場合、上述した理由でチャンバを一本のボルトでメインウェル部に固定する方法が採用できないことから、本体２Ｃ、シール材４０、メインウェル部３Ｃ、ドレン機構５Ｃと一体とされたチャンバ４Ｃ、という順で組み付け、図５（Ｂ）の底面図に示すように、本体側とチャンバ４Ｃとを少なくとも２本のボルト６０，６０で堅固に螺着するようになっている。
【０００８】
従って、チャンバ４Ｃは本体側に固定されて回転することができないため、これと一体であるドレン機構５Ｃのドレン通路５５ｅはその向きが一方向に決まってしまい、多種多様のエンジンに搭載される汎用気化器としては、対応性が著しく低いものとなってしまう。
【特許文献１】特開平６−２２９３１７号
【特許文献２】特開２００１−２７１５４号公報
【発明の開示】
【発明が解決しようとする課題】
【０００９】
本発明は、上記のような問題点を解決しようとするものであり、メインウェル部が合成樹脂製の汎用気化器について、部品間の組み付けを確実なものとしながら、ドレンを水平面上の任意の向きに変更・固定できるようにして汎用性の高いものとすることを課題とする。
【課題を解決するための手段】
【００１０】
そこで、本発明は、定燃料室を形成するチャンバ内に垂設されるメインウェル部が樹脂製であり、チャンバとドレン機構とが別体とされている汎用気化器において、チャンバ底壁の排出孔から排出した燃料を一旦溜めるための上面を開口した貯留室を形成する容器部と、その側方に延設され貯留室を外部に連通させるドレン通路およびこれを開閉する開閉手段を有するドレン部とを備えたドレン機構が、前記チャンバの底壁に内側から挿通した一本のネジで容器部の略中央部分をチャンバ底壁略中央位置に螺着され、容器部の開口端上面がチャンバ底面に密着して内部を気・液密とされており、そのネジを緩めた状態でこのネジを中心軸として回動自在とされるとともに、ドレン通路の水平面上の向きを任意に設定できるものとした。
【００１１】
このように、チャンバの底面側にドレン機構を一本のネジで回動自在に螺着するようにしたことで、メインウェル部が樹脂製であってチャンバを回転不能に本体側に組み付ける場合においても、一旦ネジを緩めてドレン通路を任意の方向に向けた後、ネジで締結することでドレン機構の向きをそのまま固定することができるため、様々なエンジンに容易に対応して搭載できるようになり、汎用性の極めて高い気化器とすることができる。
【００１２】
また、この容器部の開口端上面とこれが密着するチャンバ底面との間にシール部材を配設すれば、貯留室の気・液密性を高めることができ、容器部を略円柱状としてその開口端が平面視略円形となるものとすれば、ネジを中心としてドレン部を回動させやすくなるとともに、ドレン通路の向きを固定したときの貯留室の気・液密性を確保しやすいものとなる。
【００１３】
さらに、上述した汎用気化器において、ドレン機構が、チャンバ内側から底壁を貫通したネジが貯留室の略中央部分に設けたネジ孔に螺入することで固定されるものとすれば、チャンバを本体側に固定する前の段階でドレン通路の向きを変更できるとともに、固定状態でネジが外部に露出しないためドレン機構とチャンバとの接合状態が緩みにくいものとなる。
【発明の効果】
【００１４】
本発明によると、構成部品の組み付けを確実なものとしながら比較的簡単な手順で、ドレンを水平面上の任意の向きに変更・固定することができるため、極めて汎用性に優れたものとすることができるものである。
【発明を実施するための最良の形態】
【００１５】
以下に、図面を参照して本発明の実施の形態を説明する。
【００１６】
本実施の形態である汎用気化器１Ａの縦断面図を示す図１（Ａ）および、その底面図を示す図１（Ｂ）を参照して、本体２Ａは、前後に貫通した横向きの吸気通路２を有しており、この吸気通路２には、入口から出口に向かってチョーク弁２３、ベンチュリ２４、絞り弁２５が設けられている。チョーク弁２３および絞り弁２５の各弁軸２３ａ，２５ａは本体２Ａに設けた軸受け孔に嵌装支持されており、これらの弁軸に団結したチョーク弁レバー２６、絞り弁レバー２７によってチョーク弁２３、絞り弁２５が開閉動作することは、通常の汎用気化器と同様である。
【００１７】
また、本体２Ａには吸気通路２の通路長を直径とする略円形の下面２８が形成され、この部分に、円盤状のフランジ３２の中央部から下方に柱状のメインウェル３１が延設されてなる合成樹脂製のメインウェル部３Ａが、フランジ３２上面を密着配置され、その下面側にフランジ３２とほぼ同径でボウル状のチャンバ４Ａが、その固定用フランジ４２，４２（図１（Ｂ）参照）の固定穴からフランジ３２の固定穴を挿通して本体２Ａにネジ６０，６０で螺着されていることも、メインウェル部が樹脂製の一般的な汎用気化器と同様である。
【００１８】
そして、本実施の形態の汎用気化器１Ａの特徴部分は、チャンバ４Ａの底面側にドレン通路５５を有したドレン機構５Ａが一本のネジ４０で螺着されているところにある。即ち、チャンバ４Ａの底壁中央部には貫通孔４９が設けられて、これをチャンバ４Ａ内側からネジ４０で挿通し、ドレン機構５Ａのネジ孔５６ａに螺入することで、ネジ４０を中心軸としてドレン機構５Ａを水平面上で任意の向きにして固定するようになっている。
【００１９】
そして、ドレン機構５Ａはチャンバ４Ａ底壁に穿設された排出孔４４，４４を通じて排出された燃料を、一旦受け止めて溜めるものとした上面の開口した略円盤状の貯留室５１を形成する容器部５ａと、その側方に延設されて内外を連通させるドレン通路５５および先端側でこれを開閉する開閉手段としてドレン通路５５に螺入されたネジ５０を有するドレン部５ｂと、を備えている。そして、ドレン通路５５は、水平方向に貫通する水平通路５５ａとその中途で下方向に分岐して外部に連通する垂直通路５５ｂとからなり、ネジ５０は水平通路５５ａ開口部から螺入され、回動されて垂直通路５５ｂとの分岐部に先端側を挿入・抜脱することでドレン通路５５を開閉するようになっている。
【００２０】
そして、容器部５ａにおいて貯留室５１の中央部にはネジ孔５６ａが穿設された縦向きのネジ柱５６が突設され、ドレン機構５Ａを固定したときにネジ柱５６上面および容器部５ａの開口端上面がチャンバ４Ａの底面に密着するようになっており、さらこの開口端上面には環状に溝が設けられリング状のシール部材７０が配設されており、貯留室５１を外部から気・液密状態としている。
【００２１】
図１（Ａ）のＸ―Ｘ線に沿う方向から見たドレン機構５Ａと一体とされたチャンバ４Ａの平面図を参照して、チャンバ４Ａの定燃料室底面中央には円筒状の支持柱４８が突設されているが、その中央にはネジ４０のネジ頭４０ａが配置される円柱状のネジ室４８ａが設けられている。
【００２２】
図２の図１（Ａ）のＸ―Ｘ線に沿う方向から見たチャンバ４Ａの平面図を参照して、支持柱４８の側壁には、ネジ室４８ａを中心として平面視放射状に４本のスリット４８ｂ，４８ｃ，４８ｄ，４８ｅが設けられ、メインウェル３１の先端を支持柱４８上面に密着状態で固定したとき、メインウェル部３Ａ内の燃料通路と定燃料室４１側とを連通させるようになっている。そして、そのスリット４８ｂ，４８ｄにおいて底壁を貫通する排出孔４４，４４が設けられ、定燃料室４１内の余剰燃料を貯留室５１側に排出するようになっている。
【００２３】
再度、図１（Ａ）を参照して、排出孔４４，４４から排出されて貯留室５１に溜まった排出燃料は、ドレン通路５５の水平通路５５ａ、垂直通路５５ｂを経て下向きに排出されるものであるが、水平通路５５ａの開口部寄りにはネジ溝が設けてあるネジ孔となっており、その開口部から螺入されたネジ５０の先端が垂直通路５５ｂとの分岐部でやや狭小となっている部分に密着することでドレン通路５５は閉鎖され、離間することで開放するようになっている。
【００２４】
本実施の形態においては、チャンバ４Ａを本体側に取付ける前に、チャンバ４Ａの定燃料室４１底面側に露出したネジ頭部４０ａを、ドライバなどで回して緩めた状態とすることで、図１（Ｂ）に示すようにドレン機構５Ａをネジ４０を中心軸として水平面上で回動自在としてその向きを任意に設定し、ネジ４０で締結することで、その向きのまま固定することができる。
【００２５】
従って、メインウェル部３Ａが樹脂製でありチャンバ４Ａを本体側に回転不能に固定して取付ける構成の気化器においても、本実施の形態により、上述のように比較的簡易な構成で、しかも比較的簡易な手順で、ネジ４０を中心軸としてドレン機構５Ａを回動自在とすることができ、搭載するエンジンの形状に合わせたドレンの向きとして固定できることから、対応力に優れて汎用性の高い気化器となる。
【００２６】
尚、ドレン通路５５に配設する開閉手段は、図３（Ａ）に示す本実施の形態のドレン機構５Ａにおけるネジ式のもののほか、図３（Ｂ）に示すドレン機構５Ｄにおけるパイプ式のもの、図３（Ｃ）に示すドレン機構５Ｅにおけるプル式のもの等を採用してもよく、これらにおけるドレン部は総て同一の金型で作成することができる。
【図面の簡単な説明】
【００２７】
【図１】（Ａ）は本発明における実施の形態の汎用気化器の縦断面図、（Ｂ）は、（Ａ）の底面図。
【図２】図１（Ａ）のＸ−Ｘ線に沿う方向から見たチャンバの平面図。
【図３】（Ａ）は図１（Ａ）のドレン通路の開閉手段を示す縦断面図、（Ｂ）はドレン通路の開閉手段をパイプ式とした場合の縦断面図、（Ｃ）はドレン通路の開閉手段をプル式とした場合の縦断面図。
【図４】（Ａ）はチャンバが金属製の場合の従来例を示す縦断面図、（Ｂ）は（Ａ）の底面図。
【図５】（Ａ）はチャンバが合成樹脂製の場合の従来例を示す縦断面図、（Ｂ）は（Ａ）の底面図。
【符号の説明】
【００２８】
１Ａ  汎用気化器、  ２  吸気通路、  ２Ａ  本体、  ３Ａ  メインウェル部、４Ａ  チャンバ、  ５Ａ，５Ｄ，５Ｅ  ドレン機構、  ５ａ  容器部、  ５ｂ  ドレン部、  ４０，５０，６０  ネジ、  ４０ａ  ネジ頭部、  ４１  定燃料室、  ４４  排出孔、  ４８  支持柱、  ５１  燃料貯留室、  ５６  ネジ柱、４９  貫通孔、５６ａ  ネジ孔、５５  ドレン通路、５５ａ  水平通路、  ５５ｂ  垂直通路、  ５８  シール部材
【図１】
2006291857.tif 000003
【図２】
2006291857.tif 000004
【図３】
2006291857.tif 000005
【図４】
2006291857.tif 000006
【図５】
2006291857.tif 000007